(57)【特許請求の範囲】
【請求項１】
細長いケース（１）の先端に配設されている固定刃（１４Ａ）と、この固定刃（１４Ａ）に対して摺動自在に往復運動できるように積層されている板状の可動刃（１４Ｂ）と、可動刃（１４Ｂ）が固定刃（１４Ａ）に弾性的に押圧されるように押圧する板バネ（１７）と、可動刃（１４Ｂ）の後端を往復運動させるコンロッド（１３）と、このコンロッド（１３）を往復運動させる駆動機構とを備え、駆動機構でコンロッド（１３）を往復運動させ、コンロッド（１３）で可動刃（１４Ｂ）を往復運動させるように構成されてなる電気かみそりにおいて、
可動刃（１４Ｂ）が、板バネ（１７）に押圧されると共に、側縁に櫛状刃（１４ａ）を設けている櫛状刃部（１４ｂ）から後方に突出して、板状可動刃（１４Ｂ）の表面に直交する方向に湾曲できる弾性アーム部（１４ｄ）を有し、この弾性アーム部（１４ｄ）の後端にコンロッド（１３）を連結してなることを特徴とする電気かみそり。
【請求項２】
可動刃（１４Ｂ）が、櫛状刃部（１４ｂ）よりも後方を薄くして弾性アーム部（１４ｄ）としている請求項１に記載される電気かみそり。
【請求項３】
可動刃（１４Ｂ）が、櫛状刃部（１４ｂ）よりも後方の幅を狭くして弾性アーム部（１４ｄ）としている請求項１に記載される電気かみそり。
【請求項４】
可動刃（１４Ｂ）が、櫛状刃部（１４ｂ）よりも後方に貫通孔（２３）を開口して幅を狭くして弾性アーム部（１４ｄ）としている請求項３に記載される電気かみそり。
【発明の詳細な説明】
【０００１】
【発明の属する技術分野】
本発明は、全体を細長い形状として、先端に櫛刃を有する電気かみそりに関する。
【０００２】
【従来の技術】
従来の電気かみそりの分解斜視図を図１に示す。この図に示す電気かみそりは、細長いケース１の先端部に櫛刃１４を設けている。櫛刃１４は往復運動しない固定刃１４Ａと、往復運動する可動刃１４Ｂとを積層する状態で設け、可動刃１４Ａを往復運動させて毛をカットする。可動刃１４Ｂと固定刃１４Ａの間に隙間ができると、効率よく毛をカットできないので、図に示す電気かみそりは、板バネ１７で可動刃１４Ｂを固定刃１４Ａに弾性的に押圧して摺動できるようにしている。板バネ１７が可動刃１４Ｂを固定刃１４Ａに押圧するために、図の電気かみそりは、刃台１Ｓと可動刃１４Ｂとの間に板バネ１７を挟着している。刃台１Ｓには、板バネ１７、可動刃１４Ｂ、固定刃１４Ａの３枚を積層し、これ等を貫通するロッド２６の先端にＥリング２７を入れて刃台１Ｓに装着している。
【０００３】
可動刃１４Ａは、後端をコンロッド１３に連結し、コンロッド１３を偏心歯車１２に連結して、コンロッド１３を介して往復運動される。コンロッド１３は、先端に連結凸起１３Ａを有し、この連結凸起１３Ａを可動刃１４Ｂの連結孔２２に嵌入して連結される。
【０００４】
【発明が解決しようとする課題】
以上の構造の電気かみそりは、板バネで可動刃を固定刃に弾性的に押圧するので、可動刃と固定刃との隙間を少なくできる。しかしながら、この構造の電気かみそりは、可動刃と固定刃との隙間を皆無にして、いいかえると、よく切れる状態として、可動刃を軽く摺動して往復運動させるのは極めて難しい。それは、常に可動刃を固定刃に密着させる状態として、この間に隙間ができないように摺動させるためには、板バネで可動刃を強く固定刃に押圧する必要があるからである。可動刃とコンロッドが理想的な状態で直線状に連結され、さらに、板バネと可動刃と固定刃とが理想的な状態で積層されるなら、可動刃と固定刃の隙間を少なくできる。しかしながら、実際の電気かみそりにおいて、このことを実現するのは極めて難しい。たとえば、コンロッドと可動刃が正確に直線状に連結されず、あるいは、コンロッドの先端が可動刃の表面と直交する方向に振動すると、往復運動する可動刃と固定刃との間に隙間ができる。このように、可動刃と固定刃の間に隙間ができるのを少なくするために、板バネを配設している。
【０００５】
したがって、板バネの押圧力を強くして、可動刃と固定刃の隙間を少なくできる。ただ、可動刃と、固定刃および板バネとの摩擦抵抗が増加して、可動刃を軽くスムーズに往復運動できなくなってしまう。固定刃および板バネに対する可動刃の摩擦抵抗が、板バネの押圧力に比例して大きくなるからである。可動刃を軽く押圧させるために、板バネの押圧力を弱くすると、可動刃と固定刃の間に隙間ができやすくなって切れ味が悪くなる。このため、可動刃を軽く摺動させることと、可動刃と固定刃の隙間を少なくすることは、互いに相反する特性であって、両方を満足させることができない。
【０００６】
とくに、全体を細くしている電気かみそりは、小型のモーターを細い電池で駆動するために、可動刃を軽く摺動して、スムーズに往復運動できるようにすることが極めて大切である。
【０００７】
本発明は、このことを実現することを目的に開発されたもので、本発明の重要な目的は、往復運動する可動刃と固定刃との間の隙間を極限して、可動刃を軽く、スムーズに往復運動できる電気かみそりを提供することにある。
【０００８】
【課題を解決するための手段】
本発明の電気かみそりは、細長いケース１の先端に配設されている固定刃１４Ａと、この固定刃１４Ａに対して摺動自在に往復運動できるように積層されている板状の可動刃１４Ｂと、可動刃１４Ｂが固定刃１４Ａに弾性的に押圧されるように押圧する板バネ１７と、可動刃１４Ｂの後端を往復運動させるコンロッド１３と、このコンロッド１３を往復運動させる駆動機構とを備える。駆動機構は、コンロッド１３を往復運動させ、コンロッド１３は可動刃１４Ｂを往復運動させるように構成されてなる。
【０００９】
さらに、本発明の請求項１の電気かみそりは、板バネ１７に押圧される可動刃１４Ｂの櫛状刃部１４ｂから突出して弾性アーム部１４ｄを設け、この弾性アーム部１４ｄを介してコンロッド１３を連結している。弾性アーム部１４ｄは、櫛状刃部１４ｂよりも後方に突出して設けられ、この弾性アーム部１４ｄの後端をコンロッド１３に連結している。コンロッド１３は、弾性アーム部１４ｄを介して可動刃１４Ｂの櫛状刃部１４ｂに連結される。弾性アーム部１４ｄは、コンロッド１３と可動刃１４Ｂとの連結状態のずれを吸収して、可動刃１４Ｂの櫛状刃部１４ｂを固定刃１４Ａに隙間なく密着する状態で往復運動させる。
【００１０】
弾性アーム部１４ｄは、可動刃１４Ｂの櫛状刃部１４ｂよりも後方に突出させる部分を薄くし、あるいは幅を狭くし、あるいはまた、貫通孔２３を設けてけ幅を狭くして設けられる。
【００１１】
【発明の実施の形態】
以下、本発明の実施例を図面に基づいて説明する。ただし、以下に示す実施例は、本発明の技術思想を具体化するための電気かみそりを例示するものであって、本発明は電気かみそりを下記のものに特定しない。
【００１２】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
図２ないし図５に示す電気かみそりは、ケースの全体形状を細長い円筒状としている。ケース１は先端を多少細くして、先端部分に櫛刃１４を装着している。さらに、ケース１は、図６の分解斜視図に示すように、後端部に、電池を脱着自在に収納する電池室３を設けている。電池室３に隣接して、櫛刃１４を往復運動させる駆動機構を内蔵させている。
【００１４】
ケース１は、内側ケース１Ｕと、この内側ケース１Ｕの先端を閉塞すると共に、櫛刃１４を装着している刃台１Ｓと、駆動機構を内蔵する駆動室６を閉塞する中間蓋１Ｃと、内側ケース１Ｕを挿入している外側ケース１Ｔとからなる。外側ケース１Ｔの先端には、脱着自在にキャップ１５を装着している。内側ケース１Ｕと刃台１Ｓと中間蓋１Ｃはプラスチック製で、外側ケース１Ｔとキャップ１５は、アルミニウムやステンレス等の、底を閉塞している薄い金属円筒である。
【００１５】
刃台１Ｓは、図７の分解斜視図に示すように、可動刃１４Ｂと固定刃１４Ａからなる櫛刃１４を装着している。可動刃１４Ｂは往復運動しないように刃台１Ｓに装着され、可動刃１４Ｂは、後端をコンロッド１３に連結して、往復運動される。この図の刃台１Ｓは、板バネ１７、可動刃１４Ｂ、固定刃１４Ａを積層して装着している。
【００１６】
板バネ１７は、刃台１Ｓと可動刃１４Ｂとの間に挟着されて、可動刃１４Ｂを固定刃１４Ａに弾性的に押圧する。図に示す板バネ１７は、薄い金属製のバネ板を金型で切断し、プレス加工して製造される。この板バネ１７は、両側を上方に折曲して、可動刃１４Ｂ裏面の両側を押圧する弾性押圧片１７Ａを設けている。図において上方の弾性押圧片１７Ａは中央に設けられ、下方の弾性押圧片１７Ａは両端部にコ字状に設けられている。コ字状の弾性押圧片１７Ａは、その先端で、可動刃１４Ｂの櫛状刃１４ａを設けた側縁を押圧する。この構造の板バネ１７は、刃台１Ｓに設けられた凹部に嵌着されて、定位置に配設される。
【００１７】
可動刃１４Ｂは、側縁に櫛状刃１４ａを設けている櫛状刃部１４ｂと、コンロッド１３に連結される後端の連結部１４ｃと、櫛状刃部１４ｂと連結部１４ｃとの間に設けられた弾性アーム部１４ｄとからなる。櫛状刃部１４ｂは、板バネ１７を介して固定刃１４Ａに弾性的に押圧される部分で、この部分を固定刃１４Ａに密着させる状態で摺動されて毛をカットする。したがって、櫛状刃部１４ｂは、側縁に櫛状刃１４ａを設け、固定刃１４Ａ側縁に設けた櫛状刃１４ａとで毛を挟み切る。
【００１８】
弾性アーム部１４ｄは、櫛状刃部１４ｂから後端に突出して設けられ、板状可動刃１４Ｂの表面に直交する方向に湾曲できるように、櫛状刃部１４ｂよりも変形しやすくしている。図７に示す可動刃１４Ｂは、弾性アーム部１４ｄに方形状の貫通孔２３を設け、この貫通孔２３によって、櫛状刃部１４ｂよりも幅を狭くして、変形しやすくしている。ただ、可動刃１４Ｂは、図８に示すように、弾性アーム部１４ｄの側部に切欠２５を設けて幅を狭くすることもできる。さらに、可動刃は、弾性アーム部の部分を櫛状刃部よりも薄くして、変形しやすい弾性アーム部とすることもできる。
【００１９】
連結部１４ｃは、弾性アーム部１４ｄの後端に設けられ、ここに連結孔２２を設けている。連結部１４ｃは、プラスチック製の連結具１８を装着し、この連結具１８の貫通孔にコンロッド１３の連結凸部１３Ａを挿入して、コンロッド１３と可動刃１４Ｂとを連結する。連結具１８は、連結部１４ｃの両側を挟着する状態で連結できるように、両側に側壁を一体成形し、側壁の内側に係止溝を設けている。係止溝に連結部１４ｃを入れて、連結具１８を可動刃１４Ｂの連結部１４ｃに連結している。
【００２０】
固定刃１４Ａは、側縁に櫛状刃１４ａを有する。固定刃１４Ａの先端は、刃台１Ｓに設けられている引掛部である支柱２４に係止して固定される。固定刃１４Ａは、後端に連結孔２２を有し、この連結孔２２に支柱２４を挿通して、支柱２４を介して刃台１Ｓに固定される。支柱２４は、固定刃１４Ａを引っかけて固定できるように、プラスチックでもってフック状に成形されている。
【００２１】
図７に示す櫛刃１４は、支柱２４を可動刃１４Ｂの貫通孔２３と固定刃１４Ａの連結孔２２に挿入して、可動刃１４Ｂを刃台１Ｓに装着する。可動刃１４Ｂは、支柱２４を挿入する状態で往復運動できるように、弾性アーム部１４ｄを構成する貫通孔２３を往復運動する方向に延長するスリット状としている。可動刃１４Ｂの弾性アーム部１４ｄに設けた貫通孔２３は、これによった弾性アーム部１４ｄの幅を狭くして曲がりやすくすると共に、可動刃１４Ｂを固定する連結孔にも併用される。
【００２２】
刃台１Ｓは、図９に示すように、内側ケース１Ｕに脱着できるように装着される。刃台１Ｓは、先端を内側ケース１Ｕに挿入して連結し、後端のストッパ凹部２０に、中間蓋１Ｃから突出するストッパ凸部１９Ｂを入れて定位置に装着される。刃台１Ｓが、内側ケース１Ｕの先端に装着されると、可動刃１４Ｂの連結部１４ｃにコンロッド１３が連結される。刃台１Ｓを、脱着自在に内側ケース１Ｕに連結するために、図１０に示すように、中間蓋１Ｃの先端部に、ストッパ凸部１９Ｂを有する弾性フック１９を内蔵させている。弾性フック１９は、プラスチックで、弾性的に変形できるように、全体を楕円形に一体成形し、図９において上面に脱着ツマミ１９Ａを突出させ、図において右に突出してストッパ凸部１９Ｂを設けている。ストッパ凸部１９Ｂは、中間蓋１Ｃの先端から突出して、刃台１Ｓのストッパ凹部２０に案内される。この構造の刃台１Ｓは、先端を内側ケース１Ｕに挿入して連結する状態で、内側ケース１Ｕの定位置に装着すると、ストッパ凸部１９Ｂがストッパ凹部２０に入れられて定位置に装着される。刃台１Ｓを外すときは、脱着ツマミ１９Ａを後端に向かって移動させて、ストッパ凸部１９Ｂを中間蓋１Ｃの内部に引き込む。この状態になると、ストッパ凸部１９Ｂがストッパ凹部２０から引き抜かれて、刃台１Ｓは内側ケース１Ｕから外される。
【００２３】
刃台１Ｓを内側ケース１Ｕに装着する状態で、可動刃１４Ｂがコンロッド１３に連結されるように、中間蓋１Ｃには駆動機構の一部を内蔵する。駆動機構を内蔵する中間蓋１Ｃの分解斜視図を図１０に示す。この図の中間蓋１Ｃは、モーター１１の傘歯車に噛み合って回転される歯車と、この歯車に回転される偏心歯車１２とを備え、偏心歯車１２の偏心カムにコンロッド１３を連結している。この中間蓋１Ｃは、内側ケース１Ｕに装着されると、モーター１１で歯車が回転されて、コンロッド１３を往復運動させる。コンロッド１３は、先端を可動刃１４に連結して、可動刃１４Ｂを往復運動させる。
【００２４】
中間蓋１Ｃと刃台１Ｓとを装着する内側ケース１Ｕは、先端部分を除くほぼ全体を、円筒に沿う外形として、円筒状の外側ケース１Ｔに隙間なく挿入できるようにしている。内側ケース１Ｕは、電池室３の全体と、中間蓋１Ｃで閉塞されている駆動室６の一部を外側ケース１Ｔに挿入して、電池室３の脱着開口４を閉塞する。駆動室６の一部は、中間蓋１Ｃと外側ケース１Ｔで二重に閉塞されるが、電池室３の脱着開口４は、外側ケース１Ｔのみで閉塞される。
【００２５】
内側ケース１Ｕの電池室３は、外側ケース１Ｔに挿入して脱着開口４を閉塞するので、底面を二重構造としている。この二重構造を利用して、延長リード板５を内側ケース１Ｕの外側に固定している。延長リード板５は、内側ケース１Ｕと外側ケース１Ｔの間に配線される。延長リード板５は、図６に示すように、後端を上方に折曲して、内側ケース１Ｕを外側から内側に貫通させて、電池２の後端極に接触させる。延長リード板５の先端は、コ字状に切断されて、内側ケース１Ｕを外側から内側に貫通して突出する。この突出部は、内側ケース１Ｕの内面に沿って、スライドスイッチ１０の接点に併用される。
【００２６】
電池２とモーター１１との間に接続されて、モーター１１の回転を制御するスライドスイッチ１０は、内側ケース１Ｕの外側に摺動できるように装着されるスイッチツマミ１０Ｂと、このスイッチツマミ１０Ｂに連結されて一緒に往復運動するスイッチ板１０Ｃと、スイッチ板１０Ｃに連結される摺動子１０Ａとからなる。スイッチツマミ１０Ｂは、縦リブを内側ケース１Ｕのスリットに貫通させて、スイッチ板１０Ｃに連結している。スイッチ板１０Ｃは節度のある状態で往復運動できるように、先端にフックを一体成形している。フックは、内側ケース１Ｕに一体成形された凸部を越えて往復運動して節度出しをする。摺動子１０Ａは、スイッチ板１０Ｃに連結されてスイッチ板と一緒に往復運動し、二股に分岐された先端を下方に突出させている。摺動子１０Ａは、ぞれぞれの分岐路先端の突出部が、延長リード板５と中間リード板９の両方に接触して、スライドスイッチ１０をオン状態とする。
【００２７】
内側ケース１Ｕの隔壁８に電極板７を装着している。電極板７は、電池２の先端極をモーター１１に接続する。図に示す電気かみそりは、電池２の先端極を電極板７で直接にモーター１１に接続し、電池２の後端極は、延長リード板５とスライドスイッチ１０と中間リード板９を介してモーター１１に接続している。
【００２８】
内側ケース１Ｕの駆動室６には、駆動機構であるモーター１１を装着している。モーター１１を定位置に装着するために、内側ケース１Ｕの内面には、位置決め用のリブ１６を一体成形している。モーター１１は、回転軸に傘歯車が固定され、この傘歯車は、中間蓋１Ｃに内蔵される歯車に連結される。
【００２９】
外側ケース１Ｔは、スイッチツマミ１０Ｂを案内する切欠部２１を開口部に設けている。内側ケース１Ｕは、スイッチツマミ１０Ｂをこの折曲部２１に案内して、定位置に連結される。
【００３０】
【発明の効果】
本発明の電気かみそりは、往復運動する可動刃と固定刃との間の隙間を極限して、切れ味をよくできると共に、可動刃を軽く、スムーズに往復運動できる特長がある。それは、本発明の電気かみそりが、可動刃の櫛状刃部から突出して弾性アーム部を設け、この弾性アーム部を介して可動刃をコンロッドに連結し、さらに、櫛状刃部と連結部との間に設けられた弾性アーム部を、板状可動刃の表面に直交する方向に湾曲できるようにしているからである。この方向に変形できる弾性アーム部を有する可動刃は、コンロッドが正確に直線状に連結さない状態等において、弾性アーム部が変形して連結部分のずれを吸収する。このため、連結状態のずれ等が原因で、可動刃と固定刃の櫛状刃部が離れるのをを有効に防止する。
【００３１】
以上のように、本発明の電気かみそりは、弾性アーム部を変形させて、可動刃と固定刃の隙間を少なくするので、板バネで可動刃を固定刃に強く押圧する必要がなく、可動刃を固定刃に対して少ない摩擦抵抗で軽く往復運動できる。したがって、本発明の電気かみそりは、可動刃と固定刃を毛がよく切れる状態で摺動できると共に、可動刃を効率よく往復運動させて、極めて切れ味のよいかみそりとなる特長がある。
【図面の簡単な説明】
【図１】従来の電気かみそりの分解斜視図
【図２】本発明の実施例の電気かみそりの正面図
【図３】図２に示す電気かみそりの背面図
【図４】図２に示す電気かみそりの平面図
【図５】図２に示す電気かみそりの外側ケースを外した状態を示す側面図
【図６】図５に示す電気かみそりの分解斜視図
【図７】刃台と櫛刃の連結構造を示す分解斜視図
【図８】可動刃の他の一例を示す平面図
【図９】先端蓋を内側ケースの先端に装着する状態を示す斜視図
【図１０】駆動機構を内蔵する中間蓋の分解斜視図
【符号の説明】
１…ケース              １Ｃ…中間蓋          １Ｕ…内側ケース
１Ｔ…外側ケース      １Ｓ…刃台
２…電池
３…電池室
４…脱着開口
５…延長リード板
６…駆動室
７…電極板
８…隔壁
９…中間リード板
１０…スイッチ          １０Ａ…摺動子          １０Ｂ…スイッチツマミ
１０Ｃ…スイッチ板
１１…モーター
１２…偏心歯車
１３…コンロッド        １３Ａ…連結凸起
１４…櫛刃              １４Ａ…固定刃        １４Ｂ…可動刃
１４ａ…櫛状刃        １４ｂ…櫛状刃部
１４ｃ…連結部        １４ｄ…弾性アーム部
１５…キャップ
１６…リブ
１７…板バネ            １７Ａ…弾性押圧片
１８…連結具
１９…弾性フック        １９Ａ…脱着ツマミ    １９Ｂ…ストッパ凸部
２０…ストッパ凹部
２１…切欠部
２２…連結孔
２３…貫通孔
２４…支柱
２５…切欠
２６…ロッド
２７…Ｅリング
【図１】
0003557068.tif 000002
【図２】
0003557068.tif 000003
【図３】
0003557068.tif 000004
【図４】
0003557068.tif 000005
【図５】
0003557068.tif 000006
【図６】
0003557068.tif 000007
【図７】
0003557068.tif 000008
【図８】
0003557068.tif 000009
【図９】
0003557068.tif 000010
【図１０】
0003557068.tif 000011